(57)【要約】【課題】閉蓋状態では突条同士が嵌合を強固に保持するとともに、開蓋時には比較的小さな力で開けることができる蓋構造を提供すること。【解決手段】蓋体１及び容器本体２に、閉蓋時の押し込みにより相互に乗り越えて嵌合する突条１１、２１と、開蓋時の回転により相互に摺接して蓋体１を押し上げるガイド片１２、２２とを設けた蓋構造において、蓋体１及び容器本体２の突条１１、２１の、押し上げにより相手側の突条２１、１１が通過する部位に、突条がない空隙部１３、２３をそれぞれ設ける。【選択図】図１
2005200026.tif 000002
【特許請求の範囲】
【請求項１】
蓋体及び容器本体に、閉蓋時の押し込みにより相互に乗り越えて嵌合する突条と、開蓋時の回転により相互に摺接して蓋体を押し上げるガイド片とを設けた蓋構造において、蓋体及び容器本体の突条の、前記押し上げにより相手側の突条が通過する部位に、突条がない空隙部又は他の部分より高さが低い突条からなる低山部をそれぞれ設けたことを特徴とする蓋構造。
【請求項２】
蓋体及び容器本体に、閉蓋時の押し込みにより相互に乗り越えて嵌合する突条と、開蓋時の回転により相互に摺接して蓋体を押し上げるガイド片とを設けた蓋構造において、蓋体の周壁を内外の２重壁に設け、内側の周壁により、前記突条を形成する舌片とガイド片とを各々独立して形成したことを特徴とする蓋構造。
【発明の詳細な説明】
【技術分野】
【０００１】
本発明は、蓋構造に関し、特に、閉蓋時は蓋体を容器本体に押し被せて嵌合し、開蓋時は蓋体を回転させることにより嵌合を解除する蓋構造に関するものである。
【背景技術】
【０００２】
従来、閉蓋時は蓋体を容器本体に押し被せて嵌合し、開蓋時は蓋体を回転させることにより嵌合を解除する蓋構造は、例えば、下記の特許文献１に開示されている。
この蓋構造は、蓋体及び容器本体に、閉蓋時の押し込みにより相互に乗り越えて嵌合する突条と、開蓋時の回転により相互に摺接して蓋体を押し上げるガイド片とを設けている。
【０００３】
【特許文献１】特開昭５３−７２６５１号公報
【０００４】
しかしながら、上記従来の蓋構造は、容器本体側の突条が連続するリング状であるため、開蓋時に蓋体の突条が通過しにくく、嵌合強度のコントロールがしにくいという問題を有している。
また、蓋体の突条が容器本体の突条を乗り越えるためには、蓋体の周壁が拡径されなければならないが、蓋体の周壁は、ガイド片が一体に形成されて肉厚となっており拡径しにくくなっている。
なお、これに対処すべく突条同士の嵌合を弱くすると、ガイド片の作用に関係なく、意図しない時に開蓋される事故が起きやすい。
【発明の開示】
【発明が解決しようとする課題】
【０００５】
本発明は、上記従来の蓋構造が有する問題点に鑑み、閉蓋状態では突条同士が嵌合を強固に保持するとともに、開蓋時には比較的小さな力で開けることができる蓋構造を提供することを目的とする。
【課題を解決するための手段】
【０００６】
上記目的を達成するため、本第１発明の蓋構造は、蓋体及び容器本体に、閉蓋時の押し込みにより相互に乗り越えて嵌合する突条と、開蓋時の回転により相互に摺接して蓋体を押し上げるガイド片とを設けた蓋構造において、蓋体及び容器本体の突条の、前記押し上げにより相手側の突条が通過する部位に、突条がない空隙部又は他の部分より高さが低い突条からなる低山部をそれぞれ設けたことを特徴とする。
【０００７】
また、同じ目的を達成するため、本第２発明の蓋構造は、蓋体及び容器本体に、閉蓋時の押し込みにより相互に乗り越えて嵌合する突条と、開蓋時の回転により相互に摺接して蓋体を押し上げるガイド片とを設けた蓋構造において、蓋体の周壁を内外の２重壁に設け、内側の周壁により、前記突条を形成する舌片とガイド片とを各々独立して形成したことを特徴とする。
【発明の効果】
【０００８】
本第１発明の蓋構造によれば、蓋体及び容器本体に、閉蓋時の押し込みにより相互に乗り越えて嵌合する突条と、開蓋時の回転により相互に摺接して蓋体を押し上げるガイド片とを設けた蓋構造において、蓋体及び容器本体の突条の、前記押し上げにより相手側の突条が通過する部位に、突条がない空隙部又は他の部分より高さが低い突条からなる低山部をそれぞれ設けることから、蓋体を回転させてガイド片により蓋体を押し上げた際に、蓋体と容器本体の突条が相手側の空隙部又は低山部を通過することができ、これにより、突条の乗り越え時の抵抗を弱めて、蓋体を比較的小さな力で開けることができる。
そして、閉蓋状態においては、ガイド片同士が干渉することから、蓋体と容器本体の突条は相手側の空隙部又は低山部の位置に移動することができず、これにより、突条同士が嵌合を強固に保持し、不用意な開蓋を防止することができる。
【０００９】
また、本第２発明の蓋構造によれば、蓋体及び容器本体に、閉蓋時の押し込みにより相互に乗り越えて嵌合する突条と、開蓋時の回転により相互に摺接して蓋体を押し上げるガイド片とを設けた蓋構造において、蓋体の周壁を内外の２重壁に設け、内側の周壁により、前記突条を形成する舌片とガイド片とを各々独立して形成することから、突条を形成した舌片が、ガイド片の存在やガイド片同士の摺接に関わりなく容易に拡径することができ、これにより、突条の乗り越え時の抵抗を弱めて、蓋体を比較的小さな力で開閉することができる。
そして、閉蓋状態においては、突条同士が嵌合を強固に保持することから、不用意な開蓋を防止することができる。
【発明を実施するための最良の形態】
【００１０】
以下、本発明の蓋構造の実施の形態を図面に基づいて説明する。
【実施例１】
【００１１】
図１〜図２に、本発明の蓋構造の一実施例を示す。
この蓋構造は、蓋体１及び容器本体２に、閉蓋時の押し込みにより相互に乗り越えて嵌合する突条１１、２１と、開蓋時の回転により相互に摺接して蓋体１を押し上げるガイド片１２、２２とを設けている。
そして、かかる蓋構造において、蓋体１及び容器本体２の突条１１、２１の、前記押し上げにより相手側の突条２１、１１が通過する部位に、突条がない空隙部１３、２３をそれぞれ設けている。
この場合、空隙部１３、２３に代えて、他の部分より高さが低い突条からなる低山部（図示省略）を形成することも可能である。
【００１２】
蓋体１は、可撓性の合成樹脂を主材とした円形のものからなり、その周壁１ａ、１ｂを内外の２重壁に設け、内側の周壁１ｂにより、突条１１が形成される舌片１４とガイド片１２とを各々独立して形成している。
突条１１は、断続する舌片１４の内側に円周方向に形成されており、この突条１１と舌片１４は、本実施例では、円周上に等間隔で６箇所設けられている。
ガイド片１２は、容器本体側のガイド片２２と摺接する傾斜面を備えた略三角形を呈し、本実施例では、円周上に等間隔で６箇所設けられている。
【００１３】
容器本体２は、合成樹脂を主材とした円形のカップからなり、蓋体１の内側の周壁１ｂが被嵌する短円筒状の口部２ａを備えている。
突条２１は、口部２ａの周壁の外側に円周方向に断続して形成されており、本実施例では、等間隔で６箇所設けられている。
ガイド片２２は、蓋体側のガイド片１２と摺接する傾斜面を備えた略三角形を呈し、本実施例では、口部２ａの周囲に等間隔で６箇所設けられている。
また、このガイド片２２の傾斜面を隣接するガイド片２２まで延長し、閉蓋時に、蓋体側のガイド片１２をこの傾斜面の終端位置まで案内することにより、蓋体側のガイド片１２の位置決めを行い、例えば、多角形状容器の蓋体と容器本体の位置合わせを行うことができる。
【００１４】
なお、本実施例では、容器本体２と蓋体１の間には中蓋３が挿入されているが、発明を構成する上で必ずしも必要なものではないため、図１においてのみ表示している。
【００１５】
次に、本実施例の蓋構造の動作を説明する。
本実施例の蓋構造は、閉蓋時は蓋体１を容器本体２に押し被せて嵌合し、開蓋時は蓋体１を所定角度回転させることにより嵌合を解除することができる。
具体的には、蓋体１を容器本体２に被せて押し込むと、舌片１４の弾性変形により、蓋体の突条１１と容器本体の突条２１とが相互に乗り越えて嵌合し、図２（ａ）に示すように、閉蓋される。
この閉蓋状態で蓋体１を回転させても、図中１点鎖線で示すように、蓋体のガイド片１２と容器本体のガイド片２２とが干渉するため、蓋体１の突条１１と容器本体２の突条２１は互いに重なる範囲にとどまり、蓋体１は容易には離脱しない。
そして、これをより確実にするために、突条１１、２１の形状を、係合方向の傾斜面をなだらかに（傾斜面の傾斜角を、例えば、３０゜程度に）、離脱方向の傾斜面を急勾配に（傾斜面の傾斜角を、例えば、７０゜程度に）、それぞれ形成することが好ましい。
【００１６】
一方、開蓋時は、図２（ａ）〜（ｂ）に示すように、ガイド片１２とガイド片２２が当接する位置から、ガイド片１２を弾性変形させながら蓋体１をさらに回転させることにより、蓋体１を押し上げながら、蓋体１と容器本体２の突条１１、１２を相手側の空隙部１３、２３に移動させて通過させる。
これにより、突条１１、２１の乗り越え時の抵抗を弱め、蓋体１を比較的小さな力で開けることができる。
【００１７】
かくして、本実施例の蓋構造は、蓋体１及び容器本体２に、閉蓋時の押し込みにより相互に乗り越えて嵌合する突条１１、２１と、開蓋時の回転により相互に摺接して蓋体１を押し上げるガイド片１２、２２とを設けた蓋構造において、蓋体１及び容器本体２の突条１１、２１の、前記押し上げにより相手側の突条が通過する部位に、突条がない空隙部１３、２３を設けることから、蓋体１を回転させてガイド片１２、２２により蓋体１を押し上げた際に、蓋体１と容器本体２の突条１１、２１が相手側の空隙部１３、２３を通過することができ、これにより、突条１１、２１の乗り越え時の抵抗を弱めて、蓋体１を比較的小さな力で開けることができる。
そして、閉蓋状態においては、ガイド片１２、２２同士が干渉することから、蓋体１と容器本体２の突条１１、２１は相手側の空隙部又は低山部の位置に移動することができず、これにより、突条１１、２１同士が嵌合を強固に保持し、不用意な開蓋を防止することができる。
【００１８】
また、本実施例の蓋構造は、蓋体１及び容器本体２に、閉蓋時の押し込みにより相互に乗り越えて嵌合する突条１１、２１と、開蓋時の回転により相互に摺接して蓋体１を押し上げるガイド片１２、２２とを設けた蓋構造において、蓋体１の周壁１ａ、１ｂを内外の２重壁に設け、内側の周壁１ｂにより、前記突条１１を形成する舌片１４とガイド片１２とを各々独立して形成することから、突条１１を形成した舌片１４が、ガイド片１２の存在やガイド片１２、２２同士の摺接に関わりなく容易に拡径することができ、これにより、突条１１、２１の乗り越え時の抵抗を弱めて、蓋体１を比較的小さな力で開閉することができる。
そして、閉蓋状態においては、突条１１、２１同士が嵌合を強固に保持することから、不用意な開蓋を防止することができる。
【００１９】
以上、本発明の蓋構造について、実施例に基づいて説明したが、本発明は上記実施例に記載した構成に限定されるものではなく、その趣旨を逸脱しない範囲において適宜構成を変更することができる。
例えば、容器本体側の突条やガイド片は、容器に取り付けるような別体に設けた口部に形成することも可能である。
【産業上の利用可能性】
【００２０】
本発明の蓋構造は、閉蓋状態では突条同士が嵌合を強固に保持するとともに、開蓋時には比較的小さな力で開けることができるという特性を有していることから、例えば、合成樹脂容器、ビン、チューブ等の容器の蓋構造として好適に用いることができる。
【図面の簡単な説明】
【００２１】
【図１】本発明の蓋構造の一実施例を示し、（ａ）は分解図、（ｂ）は閉蓋状態の断面図、（ｃ）は同正面図である。
【図２】同蓋構造を示し、（ａ）は閉蓋状態の断面図、（ｂ）は開蓋時の第１段階の断面図、（ｃ）は同第２段階の断面図である。
【図３】同蓋構造の蓋体を示し、（ａ）は断面図、（ｂ）は底面図である。
【図４】同蓋構造の容器本体を示し、（ａ）は平面図、（ｂ）は一部断面正面図である。
【符号の説明】
【００２２】
１    蓋体
１ａ  外側の周壁
１ｂ  内側の周壁
１１  突条
１２  ガイド片
１３  空隙部
１４  舌片
２    容器本体
２ａ  口部
２１  突条
２２  ガイド片
２３  空隙部
３    中蓋
【図１】
2005200026.tif 000003
【図２】
2005200026.tif 000004
【図３】
2005200026.tif 000005
【図４】
2005200026.tif 000006